(57)【特許請求の範囲】
【請求項１】
シャッターカーテンに設けられた扉と、前記扉の下端部に固定された第１の重りと、前記シャッターカーテンの下端部に固定された第２の重りとを有し、前記第１の重りは、第２の重りに係合されており、
前記第１の重り側には、係合孔が設けられた断面Ｌ字状の係合金具が取り付けられ、
前記第２の重り側には、前記扉が閉じた状態で前記係合金具と係合する係止片と、前記係止片と連動する踏み板と、前記係止片を上方に付勢するスプリングとが取り付けられ、
前記踏み板への重圧により、前記係合金具と前記係止片との係合状態が解除されて扉が開放可能となると共に、前記扉が閉じる際に、前記第１の重りの作用により前記係合金具と前記係止片が再び係合状態となるロック機構を備えたことを特徴とする防火防煙シャッター。
【請求項２】
前記係止片の先端が、前記係合金具に対して傾斜する傾斜面を備えたことを特徴とする請求項１記載の防火防煙シャッター。
【請求項３】
前記第１の重りの一端が、継手によって前記第２の重りに結合されており、前記第１の重りの他端側に前記ロック機構を備えたことを特徴とする請求項１又は２記載の防火防煙シャッター。
【発明の詳細な説明】
【０００１】
【発明の属する技術分野】
本発明は、建物内において設置され容易に避難口を形成することが可能な防火防煙シャッターに関するものである。
【０００２】
【従来の技術】
従来、火災発生時など緊急時に使用される防火防煙シャッターとして、金属製のスラットを使用したものが知られているが、近年、耐火性シートをシャッターカーテンに使用したものが提案されている。特に軽量で遮熱性を有し装置の小型化を図るのに好適なステンレス糸で縫製され耐熱ガラスクロスなどを主体としたシャッターカーテンが多用されてきている。
【０００３】
このようなシャッターカーテンは、通常は天井側に設けられた巻取装置に収納されていて、使用時には巻取装置より床面側へと引き出されるのであるが、煙や火炎などを遮断するために撓みなく張設されなければならないと共に、速やかに避難口を開放しシャッターカーテンの内側で逃げ遅れた人を脱出させた後、再び避難口を強固に閉鎖し煙や火炎などを遮断しなければならない。
【０００４】
このため、例えばシャッターカーテンを上下方向に分割して帯状部を形成し、この帯状部の結合部分に磁石を取り付けてロックを行って面一なカーテンとし、また、磁石によるロックを解くことにより面一として隣接している帯状部の間に避難口を形成している。
【０００５】
【発明が解決しようとする課題】
しかしながら、上記する従来の磁着方法では、比較的迅速に避難口を形成することはできるが、火災時の熱に磁石が耐えきれず強固なロック機能を果たせなくなる。
【０００６】
また、磁石は避難を容易に行える程度の磁力では、火災時における火炎の熱や風圧などにより簡単に避難口が開いてしまい、２次災害を引き起こしかねない恐れもある。
【０００７】
本発明は、上述した課題を解決するためになされたものであり、その目的は、くぐり抜け時には避難口を容易に形成することができると共に、くぐり抜け時以外のときには熱風などにより容易に避難口が開放されることがなく、耐圧性、耐熱性に優れた防火防煙シャッターを提供することにある。
【０００８】
【課題を解決するための手段】
本発明の第１の発明は、上記目的を達成するために、シャッターカーテンに設けられた扉と、前記扉の下端部に固定された第１の重りと、前記シャッターカーテンの下端部に固定された第２の重りとを有し、前記第１の重りは、第２の重りに係合されており、前記第１の重り側には、係合孔が設けられた断面Ｌ字状の係合金具が取り付けられ、前記第２の重り側には、前記扉が閉じた状態で前記係合金具と係合する係止片と、前記係止片と連動する踏み板と、前記係止片を上方に付勢するスプリングとが取り付けられ、前記踏み板への重圧により、前記係合金具と前記係止片との係合状態が解除されて扉が開放可能となると共に、前記扉が閉じる際に、前記第１の重りの作用により前記係合金具と前記係止片が再び係合状態となるロック機構を備えたことを特徴とする。
【０００９】
第２の発明は、前記係止片の先端が、前記係合金具に対して傾斜する傾斜面を備えたことを特徴とする。
【００１０】
第３の発明は、前記第１の重りの一端が、継手によって前記第２の重りに結合されており、前記第１の重りの他端側に前記ロック機構を備えたことを特徴とする。
【００１１】
【作用】
本発明においては、緊急時にシャッターカーテンが下降してくるときには、第１の重りと第２の重りが係合状態にある。係合状態にある第１の重りと第２の重りは、緊急時にシャッターカーテンを下降させるための重りとして機能すると共に、シャッターカーテンが下降した状態において火炎や熱風によってめくれ上がらないようにするための重しの機能を有する。
【００１２】
この係合状態は、第２の重り側に設けられた係止片が第１の重り側に設けられた係合孔に没入することで維持される。この状態では、扉は閉鎖状態でロックされ、扉はシャッターカーテンの一部となっている。そして、シャッターカーテンの火炎や熱風を遮断する機能が維持されている。
扉を開放する場合には、扉を利用する人が踏み板を踏む。すると、踏み板の動きに連動して動く係止片が係合孔から外れ、第１の重りと第２の重りの係合状態は解除される。こうして扉を開放することができる。即ち、シャッターカーテンの一部をめくって向こう側に通り抜けることができる。
扉の利用が終了したら、第１の重りの作用により、第２の重り側に設けられた係止片が第１の重り側に設けられた係合孔に没入し、扉をロックした状態が自動的に得られる。
【００１３】
【発明の実施の形態】
以下、本発明の実施形態を説明する。図１は、本発明に係る防火防煙シャッターの一例を示す説明用正面図であり。図２及び図３は、図１における具体的なロック機構の概略構造と動作を示す説明用断面図である。
【００１４】
図１（ａ）に示すように、建物内の天井Ｘ側には、シャッターカーテン１の巻取装置６が設置されており、緊急時には、この巻取装置６より床面Ｙ側へとシャッターカーテン１が引き出される。このシャッターカーテン１の下端部には、第１の重り２（図２、図３参照）が固定されている。この第１の重り２が固定されているシャッターカーテン１の一部が扉１ｃを構成ている。第１の重り２には、シャッターカーテン１の下降時に床面Ｙ上に立設される座板部３を含めて形成される第２の重り４（図２、図３参照）が係合されている。第１の重り２と第２の重り４との間には、シャッターカーテン１のロック機構１０が介在されている。この係合状態においては、扉１ｃはその下端部で座板部３に固定された状態となっている。
【００１５】
巻取装置６から床面Ｙへのシャッターカーテン１の引き出しは、係合した第１の重りと第２の重りの重さによって自動的に行われる。また、図１（ｂ）に示すヒンジなどの継手１１によって、第１の重り２が第１の重り４（図２、図３参照）に結合されている。換言すると、第１の重り２が座板部３に結合されている。ロック機構１０が解除になった状態では、上記する継手１１を支点として、扉１ｃを開放させることができる。なお、継手１１は、その部分を支点として第１の重り２を第２の重り４に対して動かすことができる構造のものを採用することができる。
【００１６】
シャッターカーテン１として利用する耐火性シートには、各種のシート材が利用できる。一例として、その基材は１０００℃程度までの高温に耐え、かつ比較的安価であるシリカクロスを利用したものを挙げることができ、損傷に対する耐久性を高めるためにシートに樹脂材料を含浸させてもよい。
【００１７】
図示のように、上記シャッターカーテン１は、上下方向に分割溝が切り込まれた複数枚の耐火性シート１ａ，１ａ，１ｃからなり、この内、１ｃは扉として機能する耐火性シートの部分である。隣接する１ａ，１ａは、ラップ部１ｂにより扉１ｃと互いに重ね合わされる。このラップ部１ｂは、巻取装置６への収納時と緊急時には、互いの耐火性シート１ａ，１ａの部分が重ね合わされて面一なシャッターカーテン１を構成している。
【００１８】
シャッターカーテン１の内側で逃げ遅れた人がシャッターカーテン１を通過するには、図１（ａ）の状態から図１（ｂ）に示すように、扉１ｃを押し開け、避難口１６を開放する。この避難口１６を開放するには、シャッターカーテン１の内側で逃げ遅れた人がロック機構１０を操作して、ロック機構１０のロックを解き、さらに扉１ｃを押す。すると、継手１１を支点として第１の重り２が動き、扉１ｃが開き、図１（ｂ）に示す状態が得られる。
【００１９】
図１（ｂ）に示す避難口１６を開放した後は、第１の重り２は、その自重によって、継手１１を支点として元の位置に戻って来る。そして後述するように再び第１の重りと第２の重りとの係合状態が回復し、扉１ｃは、ロック機構１０により座板部３に固定化される。この状態では、互いの耐火性シート１ａ，１ａと扉１ｃとがラップ部１ｂにおいて重ね合わされて面一なシャッターカーテン１が得られる。
【００２０】
次に、図２と図３により具体的なロック機構の概略構造と動作を説明する。図２は、図１に示すシャッターカーテンが収納されている天井部分から降下してくる途中の状態を示す説明用断面図、図３は、同シャッターカーテンが降下した状態を示す説明用断面図であり、図３（ａ）は、防火防煙シャッターとしている状態を示し、図３（ｂ）は、扉を開放させた状態を示す。
まず、シャッターカーテン１の扉１ｃの下端部には、第１の重り２が取り付けられている。そして、この重り２と共に、扉１ｃを有するシャッターカーテン１の下端部には、カーテン側用の係合部材２０が取り付けられている。この係合部材２０は、シャッターカーテン１の外面側（避難側）に取り付けられる固着板２３とシャッターカーテン１の内面側（遮蔽側）へと移動させられる係合板２２とより形成される断面Ｌ字状の係合金具２１、及び固着板２３の反対側に付設される磁性板２５とにより形成されている。また、係合金具２１の係合板２２には、係合孔２４が開設されている。
【００２１】
第１の重り２には、第２の重り４が係合されている。この第２の重り４は、下降時に床面Ｙに立設される座板部３と係止部材４０などにより構成されている。第２の重り４は、シャッターカーテン１（図１参照）の下端部の長手方向全体に渡って配置され、上記扉１ｃにおいて、第１の重り２と係合する構造となっている。座板部３は、断面長方形状の金属製フラットバーなどで形成され、その一面側には、シャッターカーテン１の下端部に付設された磁性板２５と接合される磁性板３１が取り付けられているが、この磁性板３１は、必ずしも必要なものではないが、あれば好ましい。
【００２２】
座板部３の他面側には、上記するように第２の重り４を構成する係止部材４０が配備されている。この係止部材４０は、座板部３の上方部に取り付けられ、かつ上下方向に挿通孔４１ａが開設されたガイド筒４１と、ガイド筒４１の挿通孔４１ａに対して係止片４３が上下動可能に挿通される係止金具４２と、係止金具４２と床面Ｙとの間に介在され係止金具４２を上方に付勢するスプリング４４とにより形成されている。
【００２３】
係止金具４２には、踏み板５が連動関係となるように取り付けられている。具体的には、踏み板５の上下動に伴って係止金具４２が上下動するように、この踏み板５は、装着用板５１に蝶番５３を介して折り曲げ自在に足載せ板５２を結合させた構成となっている。図５は、足踏み板の取付け状態を示す説明図であり、図５（ａ）は、通常時の取付け状態を示し、図５（ｂ）は、使用時の取付け状態を示す。
通常時の足載せ板５２は、図５（ａ）に示すように、装着用板５１が座板部３と係止金具４２との間に挿嵌され、足載せ板５２に開設された開孔５２ａに座板部３より突出する突起部３２が掛り止められて立設された状態とされている。即ち、シャッターカーテン１が、図１に示すような巻取装置６に巻き取られている状態、または巻取装置６から下降してくる途中の状態においては、踏み板５は、図５（ａ）にその正面から見た状態でもって、さらに図２にその断面から見た状態でもって、座板部３に掛り止めされている。
【００２４】
使用時には足載せ板５２は、床面Ｙへと倒され、人が足載せ板５２を足踏みできる状態とされる。この際、開孔５２ａと突起部３２との掛り止めは外される。また、この状態での係止金具４２は、スプリング４４により上方へ付勢され押し上げられている（図３（ａ）参照）。
【００２５】
シャッターカーテン１が収納されている巻取装置６（図１参照）から下降した状態では、シャッターカーテン１の下端部の磁性板２５と座板部３の磁性板３１とが磁着されている。この状態では、シャッターカーテン１の下端部の係合金具２１における係合板２２は、座板部３を越えて係止金具４２の係止片４３の先端部に摺接され、係合板２２に開設されている係合孔２４に係止片４３の先端部が没入し、係合金具２１と係止金具４２とはロック状態となっている。
【００２６】
したがって、シャッターカーテン１の裏面側において発生する火炎や熱風などは、シャッターカーテン１に確実に遮られてその表面側へ至ることがなく、安全性を確保することができる。
【００２７】
一方、シャッターカーテン１の裏面側に留まり逃げ遅れた人は、図３（ｂ）のように、踏み板５の足載せ板５２を倒し足載せ板５２を踏むと、加わる重圧により踏み板５が係止金具４２を押し下げる。この際、スプリング４４は圧縮され係止片４３もガイド筒４１の挿通孔４１ａ内を下降する。
【００２８】
このため、係止片４３の先端部は、係合板２２の係合孔２４より外れ、第１の重り２と第２の重り４との係合状態は解除される。そして、係合金具２１が取り付けられているシャッターカーテン１（図１参照）の扉１ｃは、開放可能となる。さらに扉１ｃを開放することで、避難口１６が形成される。
【００２９】
踏み板５に対する加重がなくなると、踏み板５の動作と連動関係にある係止金具４２にも押し下げ力が加わらなくなり、スプリング４４の付勢力により係止金具４２は上昇され、これに伴って係止片４３も上昇しガイド筒４１の挿通孔４１ａよりその先端部が突出した状態となる。他方、人が通過した後に扉１ｃは、第１の重り２の作用により、図３（ａ）に示す位置に戻ってくる。このとき、係合板２２の先端部が係止片４３の先端に接触し、係止片４３は僅かに下降する。そして、係止片４３の上方に係合孔２４が位置したときにスプリング４４の作用により、係止片４３が上昇し、再び係合孔２４に係合片４３が没入した状態となる。こうして、再びカーテン側の係合金具２１と床面側の係止金具４２とがロック状態となる。
なお、第１の重り２の一端が第２の重り４に継手１１を介して結合され、他端において図２、図３に示すような係合機構によって係合した構造であると、上記の係合状態の回復が確実に行える構造が得られる。これは、係合孔２４と係合片４３との位置関係が自動的に決まる構造とできるからである。このことは、シャッターカーテンの機能を維持するために非常に重要なものとなる。
【００３０】
図中、４５はガイド筒４１の上方に延設されるカバー板であり、シャッターカーテン１の下端部に設ける第１の重り２は、例えば長尺の金属板などを袋縫いして形成するとよい。
【００３１】
以上の構成において、緊急時には、天井Ｘ側に設けられた巻取装置６から床面Ｙ側へと面一な重ね合わせ箇所を有するシャッターカーテン１が第１の重り２と第２の重り４の作用により、自動的に引き出される。この状態においては、シャッターカーテン１の下端部は、床面Ｙ上に立設された座板部３の一面側に接合され、扉１ｃは閉鎖した状態となっている。座板部３の他面側に配備されている踏み板５が足踏みされず上昇状態にあるときには、シャッターカーテン１の扉１ｃに対する掛け止め状態が維持され、踏み板５が足踏みされて下降状態にあるときには、シャッターカーテン１の扉１ｃに対する掛け止め状態が開放され、避難口１６を形成することができる。また、避難口１６の利用が終了したら、第１の重り２の作用により、係止部材２は元の位置に戻り、扉１ｃの閉鎖状態が自動的に回復する。
【００３２】
このため、くぐり抜け時には、面一なシャッターカーテン１においても避難口１６を容易に形成することができると共に、くぐり抜け時以外のときには、熱風などにより容易にシャッターカーテン１の避難口１６が開放されないので、安全性が確保できると共に、耐圧性、耐熱性などに優れた防火防煙シャッターとなる。
【００３３】
図６に示したものは防火防煙シャッターの他例を示し、シャッターカーテン１に所定の間隔を隔てて上下方向に２つの切り込み溝を入れて複数の耐火性シート１ａ，１ｃ，…とし、１ｃの両端部を面一に重ね合わすラップ部１ｂとしたものであり、シート１ｃが扉となり、避難口１６を構成させる。なお、ロック機構１０などの構成は、上記した実施例と同様であるので、その説明は省略をする。
【００３４】
【発明の効果】
以上説明したように、本発明によれば、くぐり抜け時には、面一なシャッターカーテンにおいても避難口を容易に構成できると共に、くぐり抜け時以外のときには、熱風などにより容易にシャッターカーテンの避難口が開放されることがなく、安全性を確保でき、軽量・小型で耐圧性、耐熱性などに優れた防火防煙シャッターを低コストで提供することができる。
【図面の簡単な説明】
【図１】本発明に係る防火防煙シャッターの一例を示す説明用正面図。
【図２】図１に示すシャッターカーテンが収納されている天井部分から降下してくる途中の状態を示す説明用断面図。
【図３】同シャッターカーテンが降下した状態を示す説明用断面図。
【図４】足踏み板を示す正面図。
【図５】足踏み板の取付け状態を示す説明図。
【図６】本発明に係る防火防煙シャッターの他例を示す説明用正面図。
【符号の説明】
１    シャッターカーテン
３    座板部
５    踏み板
６    巻取装置
１０  ロック機構
１６  避難口
Ｘ    天井
Ｙ    床面
【図１】
0003714792.tif 000002
【図２】
0003714792.tif 000003
【図３】
0003714792.tif 000004
【図４】
0003714792.tif 000005
【図５】
0003714792.tif 000006
【図６】
0003714792.tif 000007